(57)【要約】      （修正有）【課題】口腔内に装着することで、口元の口唇筋又は表情筋を鍛え、シワ、たるみを除去するマウスピースを提供する。【解決手段】歯並びに無関係に装着できる健康用マウスピースである。柔軟性の芯体を使用することにより、口腔内に容易・迅速に装着することができる。中空部を有する外被体と、前記外被体の中空部に挿入された柔軟性の芯体と、外被体の両端部を封止する封止部からなる健康用マウスピースである。装着することで発声の“い”を発音している状態にして口唇筋又は表情筋を鍛え、シワ、たるみ等を除去することができる。【選択図】図１
0003150769.tif 000002
【実用新案登録請求の範囲】
【請求項１】
中空部を有する可撓性の外被体と、前記外被体の中空部内に挿入された柔軟性の芯体と、外被体の両端開口部を封止する封止部とからなる健康用マウスピース。
【請求項２】
前記外被体に遊嵌された輪状体と、前記輪状体に連接された鎖体とを備えた請求項１記載の健康用マウスピース。
【請求項３】
中空部を有する可撓性の２つの外被体と、前記各外被体の各中空部内に各挿入された柔軟性の芯体と、前記各外被体同士の先端開口部同士を封止する封止部からなる健康用マウスピース。
【考案の詳細な説明】
【技術分野】
【０００１】  本考案は、口腔内に装着することで、口元の口唇筋又は表情筋を鍛え“シワ・たるみ”を除去するマウスピースに関するものである。
【背景技術】
【０００２】  従来のマウスピースは歯並びを矯正するためのものであり、また一部スポーツ選手の歯を守る為に着用されていた。
【考案の開示】
【考案が解決しようとする課題】
【０００３】  歯並びは個人差があり、その為歯科医に出向き治療を行なわなければならず高価なものであった。
【課題を解決するための手段】
【０００４】  本考案は、中空部を有する外被体と、前記外被体の中空部に、挿入された芯体より、容易に曲折でき簡単に誰でも装着できるものである。
【考案の効果】
【０００５】  本考案は、芯体を挿入した可撓性の外被体で被われたマウスピースをすることにより、鼻呼吸を促進しマウスドライ等を防ぎ口腔内のばい菌の繁殖を防止し、又唾液をよく出し健康を維持していく上で効果があるものである。
さらに本考案の健康用マウスピースを装着することで発声の“い”を発音している状態にして口唇筋又は表情筋を鍛え“シワ・たるみ等を除去するものであり、またあごのたるみなどを改善するものである。さらに食事がおいしくなり量も増量し体調の維持・向上に優れた効果を発揮する。国民の医療費の削減に役立つものと考える。本考案の健康用マウスピースを使用することによって口元がふっくらした感じになり、実年齢より１０歳程度若返ったようにさせることができる。
【考案を実施するための最良の形態】
【０００６】  以下、添付図面の図１及び図２を参照して本考案の一実施例を説明する。（１）は耐久性のある例えばシリコンゴムなどの合成樹脂で成形された外被体で、中が中空になっている。（２）は外被体の中空部内に挿脱自在に設けられた芯体で、この芯体は、たとえば容易に屈曲できるアルミニューム等の柔軟性のある金属で形成されていて、マウスピースの保形性を良好にする働きがある。（３）は封止部で、芯体（２）を外被体（１）の中空内に挿入後、外被体１の両端開口部を閉塞するためのものである。この封止部３は、芯体（１）が突出しないよう防護するものであり、また衛生上唾液が侵入しないようにするためのものである。封止部（３）の外形寸法は、図２に示されたように、外被体（１）の内径寸法よりも若干径大に形成しておけば封止部（３）と外被体（１）とがより緊密に嵌合し、この嵌合に際して接着剤を使用すればさらに密着性と液蜜性に優れたものとなる。【０００７】  （４）は外被体（１）に遊嵌したリンクである。これは飲み込みなどの事故を防ぐために取り付けたものであり、また本考案健康用マウスピースを取り外すときの利便性及び衛生面を考慮したものである。【０００８】  （５）は金属製のカップリングであり、リンク（４）と鎖（６）を連接し、鎖（６）が絡まないようにするものである。鎖（６）は健康用マウスピースを飲み込みを防止するものであり、また紛失をしないようにしたものである。【０００９】  次に、上述した第１の実施例についてその説明をする。使用者は、自分の口腔の下あごの大きさになるように、外被体（１）を両手に持って芯体（２）を折り曲げたり伸ばしたりして自分の口腔の大きさと丁度良く合致するように変形して、口腔内に入れ、下あごの唇の内側で歯茎の下方に納める。さらに歯茎の下方に納めた後、マウスピースのすわりが悪い場合は唇の外側から外被体（１）と芯体（２）とを曲げたり伸ばしたりして調整する。【００１０】  次に、図３及び図４を参照して本考案の第２の実施例を説明する。この第２の実施例は、第１の実施例示されたものを２つ繋いだような形状であり、いわば連接型の健康用マウスピースである。芯体（２）を外被体（１）内に挿入したものを２個用意し、両方の外被体（１）の内径寸法よりも若干径大の外径寸法を有する芯体（２）を外被体（１）の先端部同士の各開口部にそれぞれ押し込んで形成する。このようにすることにより、２つの健康用マウスピースが連接された形状となる。このとき第１の実施例と同様、外被体（１）と芯体（２）との間に接着剤を使用することにより密着性と液蜜性に優れたものとなる。
この第２の実施例の健康用マウスピースの使用方法は上述した第１の実施例の使用方法とほぼ同様であるが、２つ外被体（１）の一方を下あごの歯茎の方に収納してから、封止部（３）を中心として口の外側に突出している外被体（１）の他方を図４のように折り曲げて、上あごの歯茎の上方に収納することによって健康用マウスピースを口腔内に装着する。なお、上あごに先に装着するか下あごに先に装着するかは適宜選択してもよいし、下あごに装着する前に封止部（３）を中心にして事前に折り曲げておいてもよい。【００１１】  なお外被体（１）は、図面からもわかるように、透明なものを使用したが、肌色に近い色あるいは歯茎に近いピンク色のものでも良いし、芯体（２）に使用する金属も肌色やピンク色など外見上あまり目立たないものとしたりするなど、ファッショナブルな色としても良い。
外被体（１）、芯体（２）、封止部（３）の寸法は、使用する人の口腔の大きさや形状によって異なるが、一般的な寸法は成人の口腔から考えて、外被体（１）の外径は３ｍｍ〜６ｍｍ、内径は１．５ｍｍ〜２．５ｍｍで、芯体（２）の外径及び封止部（３）の外径は外被体（１）の内径と適合するように、それぞれ１．２ｍｍ〜２．０ｍｍ及び２ｍｍ〜４ｍｍお範囲のものがよい。
さらに、外被体（１）を構成するシリコン等の柔軟性の物質がある程度湾曲した形成に成形すれば、芯体（２）には不要であり、外被体（１）も中空部がなくいわゆる無垢のものでもよい。また芯体（２）の有無に拘わらず外被体（１）の中空部内に人体に影響のない液体若しくは液状のものを封入し、その液体または液状を適宜着色するか、あるいは液体及び液状内に金粉等を混入させると、口腔内に出し入れする際、第３者の人に不愉快な気持ちを柔らげる効果が生じる。
【図面の簡単な説明】
【図１】本考案健康用マウスピースの第１の実施例を示す正面図である。
【図２】本考案健康用マウスピースの封止部の部分拡大断面図である。
【図３】本考案健康用マウスピースの第２の実施例を示す正面図である。
【図４】本考案健康用マウスピースの斜視図折り曲げた状態を示す。
【符号の説明】
【００１２】１    外被体
２    芯体
３    封止部
３ａ  封止部（連接部）で別個のものと連接させる
４    リンク
４ａ  リンク
５    カップリング
６    鎖
【図３】
0003150769.tif 000003
【図４】
0003150769.tif 000004
【手続補正書】
【提出日】平成21年3月25日(2009.3.25)
【手続補正１】
【補正対象書類名】図面
【補正対象項目名】全図
【補正方法】変更
【補正の内容】
【図１】
0003150769.tif 000005
【図２】
0003150769.tif 000006
【図３】
0003150769.tif 000007
【図４】
0003150769.tif 000008